(57)【特許請求の範囲】
【請求項１】
下階の床の床高さから上階の床の床高さに亘って積み重ねられた、両側面を室内の壁面によってスライド可能に支持される直方体状の複数段の収容箱からなる収容棚兼用階段であって、
各段の収容箱を水平方向に各々案内するガイド部材を両側の前記壁面に設置し、各段の収容箱の両側の側面に設けたスライド係止部材を前記ガイド部材に各々係止して各収容箱を支持させ、
各段の収容箱の上面板に沿った高さ位置に水平に延設するガイド溝が、両側の前記壁面に各々設けられ、該ガイド溝に各段の収容箱の上面板の両側の側方突出部分が各々遊嵌係止され、
複数段の収容箱を垂直に積み重ねて収容箱を収容棚として使用する状態から、各収容箱を前記ガイド部材及び前記ガイド溝に沿ってスライド移動させ、移動させた各収容箱を位置決め手段により階段状に位置決めし、各収容箱の上面板を踏み板として下階の床から上階の床に至る階段として使用することを特徴とする収容棚兼用階段。
【請求項２】
複数段の収容箱を垂直に積み重ねて収容箱を収容棚として使用する状態から、下方に位置する収容箱から順次手前に引き出すようにスライド移動させて、各収容箱を階段状に位置決めすることを特徴とする請求項１記載の収容棚兼用階段。
【請求項３】
複数段の収容箱を垂直に積み重ねて収容箱を収容棚として使用する状態から、上方に位置する収容箱から順次後方に押し出すようにスライド移動させて、各収容箱を階段状に位置決めすることを特徴とする請求項１記載の収容棚兼用階段。
【請求項４】
前記上階の床が吹き抜け部の上部に設けられた収納部の床であり、前記下階の床が前記吹き抜け部に隣接して設けられた廊下、踊り場、又は部屋の床であり、且つ前記垂直に積み重ねた収容箱による収容棚が、前記廊下、踊り場、又は部屋と前記吹き抜け部とを隔てる手摺り壁となっている請求項３記載の収容棚兼用階。
【請求項５】
下方又は上方の収容箱をスライド移動させることにより、これより上方又は下方の収容箱を、階段状に位置決めしつつ連動させてスライド移動させる連動スライド手段が、各上下に隣接する収容箱の間に設けられている請求項１〜４のいずれか１項に記載の収容棚兼用階段。
【発明の詳細な説明】
【０００１】
【発明の属する技術分野】
本発明は、下階の床の床高さから上階の床の床高さに亘って積み重ねられた、直方体状の複数段の収容箱からなる収容棚兼用階段に関する。
【０００２】
【従来の技術及び発明が解決しようとする課題】
住宅建築物等の建物の内部には、例えば階段の吹き抜け部の上方部分など、屋内の上部の空間に未使用のスペースが残されている場合があり、このような未使用のスペースを収納部や小部屋等の補助スペースとして利用することにより、建物を効率的に設計することが可能になる。
【０００３】
一方、屋内の上部の空間に収納部や小部屋等の補助スペースを設ける場合、これらのスペースへの出入りには、梯子等の簡易な昇降手段を用いることが一般的であるが、このような簡易な昇降手段では、安定性が悪く、スムースな出入りや荷物の持ち運びが困難である。また階段は相当の設置面積を必要とするので、例えば出入りする機会の少ないスペースへの昇降手段として設置しようとすると、建物の効率的な設計をかえって妨げることになる。
【０００４】
本発明は、このような従来の課題に着目してなされたもので、屋内の上部に設けられるスペースへ安定してスムースに出入りできると共に、出入りに使用しない場合に小さな設置面積に納めることができ、且つ収容棚としての機能を備えた収容棚兼用階段を提供することを目的とする。
【０００５】
【課題を解決するための手段】
下階の床の床高さから上階の床の床高さに亘って積み重ねられた、両側面を室内の壁面によってスライド可能に支持される直方体状の複数段の収容箱からなる収容棚兼用階段であって、各段の収容箱を水平方向に各々案内するガイド部材を両側の前記壁面に設置し、各段の収容箱の両側の側面に設けたスライド係止部材を前記ガイド部材に各々係止して各収容箱を支持させ、各段の収容箱の上面板に沿った高さ位置に水平に延設するガイド溝が、両側の前記壁面に各々設けられ、該ガイド溝に各段の収容箱の上面板の両側の側方突出部分が各々遊嵌係止され、複数段の収容箱を垂直に積み重ねて収容箱を収容棚として使用する状態から、各収容箱を前記ガイド部材及び前記ガイド溝に沿ってスライド移動させ、移動させた各収容箱を位置決め手段により階段状に位置決めし、各収容箱の上面板を踏み板として下階の床から上階の床に至る階段として使用することを特徴とする収容棚兼用階段を提供することにより、上記目的を達成したものである（請求項１記載の発明）。
【０００７】
そして、本発明の収容棚兼用階段によれば、複数段の収容箱を垂直に積み重ねて収容箱を収容棚として使用する状態から、下方に位置する収容箱から順次手前に引き出すようにスライド 移動させて、各収容箱を階段状に位置決めすることが好ましい（請求項２記載の発明）。
【０００８】
また、本発明の収容棚兼用階段によれば、複数段の収容箱を垂直に積み重ねて収容箱を収容棚として使用する状態から、上方に位置する収容箱から順次後方に押し出すようにスライド移動させて、各収容箱を階段状に位置決めすることもできる（請求項３記載の発明）。
【０００９】
さらに、本発明の収容棚兼用階段によれば、前記上階の床が吹き抜け部の上部に設けられた収納部の床であり、前記下階の床が前記吹き抜け部に隣接して設けられた廊下、踊り場、又は部屋の床であり、且つ前記垂直に積み重ねた収容箱による収容棚が、前記廊下、踊り場、又は部屋と前記吹き抜け部とを隔てる手摺り壁となっていることが好ましい（請求項４記載の発明）。
【００１０】
さらにまた、本発明の収容棚兼用階段によれば、下方又は上方の収容箱をスライド移動させることにより、これより上方又は下方の収容箱を、階段状に位置決めしつつ連動させてスライド移動させる連動スライド手段が、各上下に隣接する収容 箱の間に設けられていることが好ましい（請求項５記載の発明）。
【００１１】
【発明の実施の形態】
本発明の好ましい実施形態を添付図面を参照しつつ詳細に説明する。本発明の好ましい第１実施形態に係る収容棚兼用階段１０は、図１に示すように、一例として屋内の上部の未使用スペースである階段１１の吹き抜け部１２の上方部分に設置された収納部１３に、吹き抜け部１２に隣接して設けられた廊下１４から昇降するための昇降手段として設けられたものである。
【００１２】
すなわち、本第１実施形態の収容棚兼用階段１０は、図２及び図３にも示すように、下階の床としての廊下１４の床高さから上階の床としての収納部１３の床高さに亘って積み重ねられた、両側面を屋内の壁面１６によって支持される直方体状の複数段の収容箱１５からなるものである。そして、各段の収容箱１５を水平方向に各々案内するガイド部材１７を壁面１６に設置し、各段の収容箱１５の側面に設けたスライド係止部材１８（図５参照）をガイド部材１７に係止して各収容箱１５を支持させ、複数段の収容箱１５を垂直に積み重ねて収容箱１５を収容棚として使用する状態から、各収容箱１５をガイド部材１７に沿ってスライド移動させ、移動させた各収容箱１５を位置決め手段１９（図６参照）により階段状に位置決めし、各収容箱１５の上面板２０を踏み板として廊下１４から収納部１３の床に至る階段として使用する。
【００１３】
本第１実施形態によれば、収容棚兼用階段１０は、巾６０〜１５０ｃｍ、高さ２５〜３０ｃｍ、奥行き３０ｃｍ程度の大きさの直方体状の４段の収容箱１５からなるものである。各収容箱１５は、上面板２０と下面板２１と奥板２２と一対の側面板２３とからなり、廊下１４側の面が開口面となっていて、当該開口面から収容箱１５の内部に、種々の物を収容することができるようになっている。また、側面板２３には、ガイド部材１７にスライド可能に係止されるローラー部材からなるスライド係止部材１８が取り付けられ、上面板２０の上面には位置決め手段１９を構成する当接金具２４が取り付けられる（図５及び図６参照）。さらに、下面板２１の下面には、位置決め手段１９を構成するリード金具２５が取り付けられる（図６参照）。なお、当接金具２４とリード金具２５とからなる位置決め手段１９は、後述する連動スライド手段２６を兼ねるものである。
【００１４】
各収容箱１５の両側面を支持する屋内の壁面１６は、一方の壁面１６が階段１１と吹き抜け部１２とを仕切る手摺り壁２７によって構成され、他方の壁面１６はこの手摺り壁２７と対向配置されている内壁２８（図３参照）によって構成されている。これらの一対の壁面１６には、各収容箱１５の下面板２１に近接する高さ位置にガイド部材１７が、上面板２０に沿った高さ位置にガイド溝２９が、水平に延設して各々設けられている。ガイド部材１７及びガイド溝２９は、各段の収容箱１５が階段状に位置決めされるまでスライド移動できる長さに亘って設けられており、最上段のガイド部材１７及びガイド溝２９が最も長く、下段のガイド部材１７及びガイド溝２９ほどその延設長さが短くなっている。
【００１５】
ガイド部材１７は、図５（ａ）及び（ｂ）に示すように、壁面１６における各収容箱１５の下面板２１に近接する高さ位置に切り欠き形成された断面矩形状の矩形溝３０に、断面略コの字状のガイドレール３１を配設してなり、このガイドレール３１には、収容箱１５の側面板２３に取り付けられたスライド係止部材１８がスライド可能に配置されることにより、収容箱１５の両側面が壁面１６によって支持される。ガイド溝２９は、壁面１６における各収容箱１５の上面板２０に沿った高さ位置に切り欠き形成された矩形断面の溝であって、このガイド溝２９には、収容箱１５の上面板２０の側方突出部分が遊嵌係止されて、壁面１６による収容箱１５の支持状態が補強され、収容箱１５を、荷物を持って階段を上下する際の荷重に十分に耐えられるように支持することができると共に、スライド係止部材１８が折れたり、ガイド部材１７から外れた場合でも、階段を構成する各収容箱１５を安定して支持することが可能になる。なお、矩形溝３０及びガイド溝２９は、その後端部が行き止まりとなっていることにより、スライド係止部材１８や上面板２０の側方突出部分を当接させて、各収容箱１５の過度のスライド移動を制限するストッパーとしての機能を備えている。
【００１６】
位置決め手段１９は、図６に示すように、上面板２０の上面に取り付けられた当接金具２４と、下面板２１の下面に取り付けられたリード金具２５とからなる。当接金具２４は、一対の断面Ｌ字状のアングル材を背面を密着させて一体化した断面Ｔ字状の金具であって、水平片を上面板２０の上面に密着固定することにより、上面板２０の後端部分の所定の位置に２箇所に取り付けられると共に、上方に突出する垂直片の両面には、硬質ゴム等からなるクッション材３１が取り付けられている。リード金具２５は、断面Ｌ字状のアングル材であって、水平片を内側に配置して下面板２１の下面に密着固定することにより、垂直片を下方に突出させた状態で、下面板２１の後端部分の所定の位置に２箇所、前端部分の所定の位置に２箇所の合計４箇所に取り付けられている。そして、下面板２１の後端部分に配置されたリード金具２５の垂直片の内側面が当接金具２４の後面のクッション材３１に当接した状態では、各収容箱１５は、垂直に積み重ねられた状態で位置決めされ、下面板２１の前端部分に配置されたリード金具２５の垂直片の内側面が当接金具２４の前面のクッション材３１に当接した状態では、各収容箱１５は、廊下１４の床高さから収納部１３の床高さに亘って設置される４段の階段を形成する状態に位置決めされる。
【００１７】
また、当接金具２４とリード金具２５とからなる位置決め手段１９によれば、上方の収容箱１５を後方にスライド移動させるのに伴って、これの前端部分に配置されたリード金具２５を下方の収容箱１５の当接金具２４に当接させることにより、当該下方の収容箱１５を階段状に位置決めしつつ連動させて後方にスライド移動させることができる。すなわち、位置決め手段１９は、上下に隣接する収容箱１５の間に設けられた連動スライド手段２６を兼ねている。この連動スライド手段２６によれば、上方の収容箱１５を前方にスライド移動させるのに伴って、これの後端部分に配置されたリード金具２５を下方の収容箱１５の当接金具２４に当接させることにより、当該下方の収容箱１５を垂直に積み重ねられるように位置決めしつつ連動させて前方にスライド移動させることもできる。
【００１８】
そして、本第１実施形態の収容棚兼用階段１０は、収納部１３に出入りするための階段として使用されない時には、４段の収容箱１３が垂直に積み重ねられた状態で、廊下１４と吹き抜け部１２とを隔てる手摺り壁として、ストッパー３６を介して小さな設置面積で固定されると共に、収容箱１５の開口面から各種のものを収容して収容棚として使用される。一方、収納部１３に出入りする際には、固定状態を開放して、最上段の収容箱１５から後方に押し出すようにスライド移動させれば、各収容箱１５は、連動スライド手段２６を介して連動しつつ順次後方にスライド移動して階段状に位置決めされる。そして、最上段の収容箱１５をラッチ式のストッパー３２（図２参照）を介して収納部１３の床に固定すれば、各収容箱１３の上面板２０を踏み板とする相当の巾の階段が設置され、この階段を介して安定性した状態で収納部１３へのスムースな出入りや荷物の持ち運びを行うことが可能になる。
【００１９】
すなわち、本第１実施形態の収容棚兼用階段１０によれば、収納部１３に安定してスムースに出入りできる階段を容易に設置することができると共に、出入りに使用しない場合に手摺り壁として小さな設置面積に納めることができ、且つ収容棚として用いることが可能になる。
【００２０】
なお、本第１実施形態によれば、図３及び図４に示すように、階段１１の昇降口３３を覆うことのできる可動床３４が、両端を手摺り壁２７及びこれと対向する階段壁３５によってスライド可能に支持されて、収納部１３の床の下方に収納された状態から引き出しできるように設けられている。収納部１３に出入りする際に、この可動床３４を引き出して階段１１の昇降口３３を覆っておくことにより、当該昇降口３３への落下を効果的に防止することができる。
【００２１】
図７及び図８は、本発明の好ましい第２実施形態に係る収容棚兼用階段４０を示すものである。本第２実施形態によれば、収容棚兼用階段４０は、天井裏の小部屋４１に、床４２から昇降するための昇降手段として設けられたものである。すなわち、本第２実施形態の収容棚兼用階段１０は、床４２の床高さから出入り口４８が設けられた天井４３の床高さに亘って積み重ねられた、直方体状の１１段の収容箱４４からなるものである。そして、収容棚兼用階段４０を挟む両壁面４７には、各段の収容箱４４を水平方向に各々案内するガイド部材４５及びガイド溝４６が設置され、このガイド部材４５及びガイド溝４６に収容箱４４の両側面をスライド可能に係止して当該収容箱４４を両壁面４７に支持させる。また、複数段の収容箱４４を垂直に積み重ねて当該収容箱４４を収容棚として使用する状態から、各収容箱４４をスライド移動させて階段状に位置決めして床４２から小部屋４１に至る階段として使用する。なお、本第２実施形態に係る収容棚兼用階段４０によれば、収容箱４４、ガイド部材４５、ガイド溝４６、スライド係止部材１８、位置決め手段１９、連動スライド手段２６等は、上記第１実施形態のものと同様の構成を備えている。
【００２２】
本第２実施形態に係る収容棚兼用階段４０によれば、ガイド部材４５及びガイド溝４６は、各段の収容箱４４が階段状に位置決めされるまでスライド移動できる長さに亘って設けられており、最下段のガイド部材４５及びガイド溝４６が最も長く、上段のガイド部材４５及びガイド溝４６ほどその延設長さが短くなっている。
【００２３】
そして、本第２実施形態の収容棚兼用階段４０は、天井裏の小部屋４１に出入りするための階段として使用されない時には、１１段の収容箱４４が垂直に積み重ねられた状態で、背面を妻壁４９に密着した状態で収容棚として固定される。一方、小部屋４１に出入りする際には、固定状態を開放して、最下段の収容箱４４から手前に引き出すようにスライド移動させれば、各収容箱４４は、連動スライド手段２６を介して連動しつつ順次前方にスライド移動して階段状に位置決めされる。これによって、各収容箱４４の上面板２０を踏み板とする相当の巾の階段が設置され、この階段を介して安定した状態で小部屋４１へのスムースな出入りや荷物の持ち運びを行うことができ、上記第１実施形態の収容棚兼用階段１０と同様の作用効果を奏することになる。
【００２４】
なお、本発明は上記実施形態に限定されることなく種々の変更が可能である。例えば、本発明の収容棚兼用階段は、吹き抜け部の上方部分に設置された収納部や天井裏の小部屋等の補助スペースへの昇降用の階段に限定されることなく、上階とと下階との間に設けられる非常用の階段等として用いることもできる。
【００２５】
【発明の効果】
以上詳細に説明したように、本発明の収容棚兼用階段によれば、屋内の上部の空間に設けられるスペースへ安定してスムースに出入りできると共に、出入りに使用しない場合に小さな設置面積に納めることができ、且つ収容棚としての機能を備えることができる。
【図面の簡単な説明】
【図１】本発明の第１実施形態に係る収容棚兼用階段の設置状況を説明する略示断面図である。
【図２】本発明の第１実施形態に係る収容棚兼用階段の構成を説明する斜視図である。
【図３】本発明の第１実施形態に係る収容棚兼用階段の設置状況を説明する図１のＣ−Ｃに沿った平面図である。
【図４】可動床により階段の昇降口を覆った状態を説明する図１のＣ−Ｃに沿った平面図である。
【図５】（ａ）は、スライド係止部材をガイド部材に係止して収容箱を支持させた状態の説明図、（ｂ）は、（ａ）のＡ部拡大図である。
【図６】（ａ）は、連動スライド手段の断面図、（ｂ）は、（ａ）のＢ部拡大図である。
【図７】本発明の第２実施形態に係る収容棚兼用階段の設置状況を説明する略示断面図である。
【図８】本発明の第２実施形態に係る収容棚兼用階段の構成を説明する斜視図である。
【符号の説明】
１０，４０  収容棚兼用階段
１１  階段
１２  吹き抜け部
１３  収納部
１４  廊下
１５，４４  収容箱
１６  壁面
１７，４５  ガイド部材
１８  スライド係止部材
１９  位置決め手段
２０  上面板
２１  下面板
２２  奥板
２３  側面板
２４  当接金具
２５  リード金具
２６  連動スライド手段
２７  手摺り壁
２８  内壁
２９，４６  ガイド溝
３０  矩形溝
３１  クッション材
３２  ストッパー
３３  昇降口
３４  可動床
４１  小部屋
４２  床
４３  天井
４７  壁面
【図１】
0004623855.tif 000002
【図２】
0004623855.tif 000003
【図３】
0004623855.tif 000004
【図４】
0004623855.tif 000005
【図５】
0004623855.tif 000006
【図６】
0004623855.tif 000007
【図７】
0004623855.tif 000008
【図８】
0004623855.tif 000009